(57)【要約】【課題】操作部材とパッキンを別部品として良好な操作感が得られるだけでなく、パッキンの形状を単純化してコストダウンが図れる携帯電子機器用入力装置および携帯電子機器を提供すること。【解決手段】筐体２と、筐体２の内部に配される押圧スイッチ１０と、押下操作される押しボタン９と、押しボタン９に対する押下操作に応じて押下されてスイッチ１０を押す押し子１２と、押し子１２および押圧スイッチ１０の間に設けられ、押圧スイッチ１０を防水するシート状のシート部材１３と、を有する。【選択図】図３
2014135244.tif 000002
【特許請求の範囲】
【請求項１】
筐体と、
前記筐体の内部に配されるスイッチと、
押下操作される操作部材と、
前記操作部材に対する押下操作に応じて押下されて前記スイッチを押す押し子と、
前記押し子および前記スイッチの間に設けられ、前記スイッチを防水するシート状のシート部材と、
を有する、携帯電子機器用入力装置。
【請求項２】
前記シート部材の前記押し子側の面の端部を前記筐体の内面に固定する固定部材を備える、請求項１に記載の携帯電子機器用入力装置。
【請求項３】
前記固定部材は、接着剤および接着剤が塗布されたテープの一方によって構成されている、請求項２に記載の携帯電子機器用入力装置。
【請求項４】
前記シート部材は、前記押し子が接触する位置に対応する位置に、前記スイッチを押す突部を有する、請求項１から請求項３のいずれかに記載の携帯電子機器用入力装置。
【請求項５】
前記スイッチは、前記筐体の内部に配される基板に実装され、
前記シート部材、前記操作部材および前記押し子は、透光性を有し、
前記基板に実装される発光素子と、
前記スイッチと前記発光素子とが実装される前記基板の実装領域を囲うように形成され、前記発光素子の発する光が前記実装領域外に漏れないようにしつつ、当該光が前記シート部材、前記押し子および前記操作部材を介して外部に放射されるようにする遮光部材と、を有し、
前記遮光部材は、前記シート部材から前記基板に向けて延在されることを特徴とする請求項１から請求項４のいずれかに記載の携帯電子機器用入力装置。
【請求項６】
前記スイッチ、前記操作部材および前記押し子は、それぞれ複数設けられ、
前記発光素子および前記遮光部材は、前記複数のスイッチそれぞれに対応して複数設けられ、
前記遮光部材は、前記発光素子の発する光が、当該発光素子に対応するスイッチとは異なるスイッチが配される領域に漏れないようにすることを特徴とする請求項５に記載の携帯電子機器用入力装置。
【請求項７】
前記複数の操作部材を連結するための連結シートを有することを特徴とする請求項５または請求項６に記載の携帯電子機器用入力装置。
【請求項８】
前記遮光部材は、遮光性を有するスポンジによって構成されていることを特徴とする請求項５から請求項７のいずれかに記載の携帯電子機器用入力装置。
【請求項９】
前記遮光部材は、前記シート部材に接着される一方で、前記基板には接着されないことを特徴とする請求項８に記載の携帯電子機器用入力装置。
【請求項１０】
請求項１から請求項９のいずれかに記載の携帯電子機器用入力装置を備えた携帯電子機器。
【発明の詳細な説明】
【技術分野】
【０００１】
本発明は、携帯電話機、スマートフォン等の携帯電子機器に設けられる携帯電子機器用入力装置、および携帯電子機器用入力装置を備えた携帯電子機器に関する。
【背景技術】
【０００２】
従来から、防水構造を備えた携帯電子機器用入力装置が知られている（例えば、特許文献１参照）。この種の携帯電子機器用入力装置は、通常、基板上に実装されるスイッチと、押下操作される操作部材と、操作部材の押下操作に応じてスイッチの中心部分を押圧する押し子と、基板およびスイッチを防水するパッキンと、を備えて構成されている。
【０００３】
図５は、従来例１に係る携帯電子機器用入力装置（パッキン一体型）の断面図、図６は、従来例２に係る携帯電子機器用入力装置（パッキン別部品型）の断面図である。
【０００４】
これらの図に示すように、携帯電子機器用入力装置には、操作部材とパッキンを一体としたパッキン一体型と、操作部材とパッキンを別部品としたパッキン別部品型とがある。
【０００５】
図５に示す携帯電子機器用入力装置は、パッキン一体型であり、基板１０１上に実装されるスイッチ１０２と、押下操作される操作部材１０３と、操作部材１０３の押下操作に応じてスイッチ１０２の中心部分を押圧する押し子１０４と、基板１０１およびスイッチ１０２を防水するパッキン１０５とを備えており、操作部材１０３、押し子１０４およびパッキン１０５が一体的に構成されている。また、パッキン１０５は、周縁部から下方に延出する防水部１０５ａを有し、この防水部１０５ａを筐体１０６の溝部１０６ａに圧縮状態で嵌合させることにより、基板収容部への水の浸入を防止している。
【０００６】
図６に示す携帯電子機器用入力装置は、パッキン別部品型であり、基板２０１上に実装されるスイッチ２０２と、押下操作される操作部材２０３と、操作部材２０３の押下操作をガイドするガイド部材２０４と、操作部材２０３の押下操作に応じてスイッチ２０２の中心部分を押圧する押し子２０５と、基板２０１およびスイッチ２０２を防水するパッキン２０６とを備えており、操作部材２０３とパッキン２０６は別部品で構成されている。また、パッキン２０６は、外周部から外方に突出する防水部２０６ａを有し、この防水部２０６ａを筐体２０７の内壁面２０７ａに圧縮状態で当接させることにより、基板収容部への水の浸入を防止している。
【先行技術文献】
【特許文献】
【０００７】
【特許文献１】特開２０００−１５１７７２号公報
【発明の概要】
【発明が解決しようとする課題】
【０００８】
しかしながら、パッキン一体型の携帯電子機器用入力装置では、図５に示すように、操作部材１０３がパッキン１０５を介して筐体１０６の溝部１０６ａに固定されることになるので、操作部材１０３を押下操作する際に、操作部材１０３がパッキン１０５によって戻し方向に引張られ、良好な操作感が得られないことがあった。
【０００９】
また、従来の携帯電子機器用入力装置では、図５および図６に示すように、操作部材１０３、２０３とパッキン１０５、２０６が一体であるか否かに拘わらず、パッキン１０５、２０６の形状が複雑であり、それに対応する高価な金型を用いて成形する必要があるので、製造コストを上昇させるという問題があった。
【００１０】
本発明は上記した課題を解決するためになされたものであり、操作部材とパッキンを別部品として良好な操作感が得られるだけでなく、パッキンの形状を単純化してコストダウンが図れる携帯電子機器用入力装置および携帯電子機器の提供を目的とする。
【課題を解決するための手段】
【００１１】
上記した課題を解決するために本発明の実施形態に係る携帯電子機器用入力装置は、筐体と、前記筐体の内部に配されるスイッチと、押下操作される操作部材と、前記操作部材に対する押下操作に応じて押下されて前記スイッチを押す押し子と、前記押し子および前記スイッチの間に設けられ、前記基板と前記スイッチとを防水するシート状のシート部材と、を有する。
【００１２】
本実施形態の携帯電子機器用入力装置において、前記シート部材の前記押し子側の面の端部を前記筐体の内面に固定する固定部材を備えることが好ましい。
【００１３】
本実施形態の携帯電子機器用入力装置において、前記固定部材は、接着剤および接着剤が塗布されたテープの一方によって構成されていることが好ましい。
【００１４】
本実施形態の携帯電子機器用入力装置において、前記シート部材は、前記押し子が接触する位置に対応する位置に、前記スイッチを押す突部を有することが好ましい。
【００１５】
本実施形態の携帯電子機器用入力装置において、前記スイッチは、前記筐体の内部に配される基板に実装され、前記シート部材、前記操作部材および前記押し子は、透光性を有し、前記基板に実装される発光素子と、前記スイッチと前記発光素子とが実装される前記基板の実装領域を囲うように形成され、前記発光素子の発する光が前記実装領域外に漏れないようにしつつ、当該光が前記シート部材、前記押し子および前記操作部材を介して外部に放射されるようにする遮光部材と、を有し、前記遮光部材は、前記シート部材から前記基板に向けて延在されることが好ましい。
【００１６】
本実施形態の携帯電子機器用入力装置において、前記スイッチ、前記操作部材および前記押し子は、それぞれ複数設けられ、前記発光素子および前記遮光部材は、前記複数のスイッチそれぞれに対応して複数設けられ、前記遮光部材は、前記発光素子の発する光が、当該発光素子に対応するスイッチとは異なるスイッチが配される領域に漏れないようにすることが好ましい。
【００１７】
本実施形態の携帯電子機器用入力装置において、前記複数の操作部材を連結するための連結シートを有することが好ましい。
【００１８】
本実施形態の携帯電子機器用入力装置において、前記遮光部材は、遮光性を有するスポンジによって構成されていることが好ましい。
【００１９】
本実施形態の携帯電子機器用入力装置において、前記遮光部材は、前記シート部材に接着される一方で、前記基板には接着されないことが好ましい。
【００２０】
本実施形態の携帯電子機器は、上に記載の携帯電子機器用入力装置を備えたことを特徴とする。
【発明の効果】
【００２１】
本発明によれば、操作部材とパッキンを別部品として良好な操作感が得られるだけでなく、パッキンの形状を単純化してコストダウンが図れる携帯電子機器用入力装置および携帯電子機器を提供することができる。
【図面の簡単な説明】
【００２２】
【図１】本実施形態に係る携帯電子機器の斜視図である。
【図２】本実施形態に係る携帯電子機器の基板を示す図であり、基板を収容した第２筐体の下側部分を正面側から見た要部斜視図である。
【図３】図１のＡ−Ａ断面図である。
【図４】本実施形態に係る携帯電子機器のシート部材および遮光部材を示す図であり、第１筐体の下側部分を背面側から見た斜視図である。
【図５】従来例１に係る携帯電子機器用入力装置（パッキン一体型）の断面図である。
【図６】従来例２に係る携帯電子機器用入力装置（パッキン別部品型）の断面図である。
【発明を実施するための形態】
【００２３】
以下、添付図面を参照して本発明を実施するための実施の形態（以下、単に本実施形態という）について詳細に説明する。
【００２４】
図１は、本実施形態に係る携帯電子機器の斜視図、図２は、本実施形態に係る携帯電子機器の基板を示す図であり、基板を収容した第２筐体の下側部分を正面側から見た要部斜視図である。
【００２５】
これらの図に示すように、本実施形態に係る携帯電子機器１は、スマートフォンであって、薄型長方形の筐体２を備える。筐体２は、携帯電子機器１の前面を構成する第１筐体３と、携帯電子機器１の後面を構成する第２筐体４とを備えており、スマートフォンを構成するための基板５や各種の電子部品が筐体２の内部に配置されている。
【００２６】
筐体２の前面部には、タッチパネル式の入力表示部６や、本携帯電子機器用入力装置を用いた押しボタン式の入力部７が構成されている。入力部７は、第１筐体３の前面に接着される前面パネル８と、前面パネル８に形成される複数の開口８ａを介してそれぞれ前方に突出する複数の押しボタン９（操作部材）とを備える。例えば、本実施形態では、左右方向に所定の間隔をあけて並ぶ５つの押しボタン９が入力部７に配置されている。
【００２７】
図２に示すように、基板５上には、各押しボタン９の位置と対応するように複数の押圧スイッチ１０（スイッチ）が実装されている。押しボタン９を押下操作すると、基板５上の対応する押圧スイッチ１０が押圧され、所定の機能が実行されるようになっている。また、基板５における各押圧スイッチ１０の近傍には、それぞれ押しボタン９を筐体２の内部から照光するための発光素子１１が実装されている。
【００２８】
図３は、図１のＡ−Ａ断面図である。
【００２９】
この図に示すように、押しボタン９は、押下操作されるキートップ部９ａと、前面パネル８の裏側に係合して押しボタン９を抜止めするフランジ部９ｂとを一体的に備えている。前面パネル８と押しボタン９との間には、押しボタン９の押下操作を許容するための隙間が確保されており、この隙間を介して前面パネル８の内側に水が浸入する場合がある。
【００３０】
第１筐体３は、押しボタン９と押圧スイッチ１０との間に空間を形成する複数の開口３ａを備えている。これらの開口３ａには、押しボタン９の押下操作に応じて押下され、基板５上の対応する押圧スイッチ１０を押圧する押し子１２がそれぞれ配置されている。押し子１２は、押しボタン９側よりも押圧スイッチ１０側が小径となる形状を有し、押しボタン９の裏面側に一体的に固定されている。
【００３１】
このように構成された携帯電子機器１では、前面パネル８と押しボタン９との間の隙間から前面パネル８の内側に侵入した水が、第１筐体３の開口３ａを介して基板５や押圧スイッチ１０に到達することを防止するためにパッキンを用いた防水構造が必要となる。
【００３２】
本実施形態の携帯電子機器１では、押しボタン９とパッキンを別部品として良好な操作感が得られ、しかも、パッキンの形状を単純化してコストダウンが図れるようにしている。そのために本実施形態の携帯電子機器１では、基板５や押圧スイッチ１０が配される筐体２の内部を防水するパッキンとしてシート状のシート部材１３を用いる。例えば、ポリウレタンシート、ＰＥＴシートなどの樹脂製シートや、ゴアテックス（登録商標）などの通気性防水シートをパッキンとして用いることができる。
【００３３】
図３に示すように、シート部材１３は、開口３ａを塞ぐように第１筐体３の内面に沿って配置され、押し子１２と押圧スイッチ１０に挟まれる。シート部材１３と第１筐体３の内面との間には固定部材１４が設けられ、この固定部材１４を介してシート部材１３の押し子１２側の面の端部が第１筐体３の内面に固定される。例えば、固定部材１４は、防水性を有する接着剤や、防水性を有する接着剤が塗布されたテープを用いて構成することができ、本実施形態では後者を用いる。このようにすると、シート部材１３を用いて基板５や押圧スイッチ１０を防水することができる。また、このような防水構造によれば、複数の押しボタン９を設ける場合であっても、従来のように押しボタン９毎にパッキンを設けることなく、一枚のシート部材１３で複数の押しボタン９に対応する開口３ａを覆うことができる。
【００３４】
シート部材１３は、押し子１２が接触する位置に対応して形成され、押圧スイッチ１０と接触する突部１３ａを有することが好ましい。例えば、本実施形態では、押圧スイッチ１０の中心位置に接触する突部１３ａを、シート部材１３の押圧スイッチ１０側の面に一体成形している。このようにすると、押しボタン９のガタによる押し子１２の位置ずれに拘わらず、シート部材１３の突部１３ａを介して押圧スイッチ１０の中心位置を良好に押圧し、押圧スイッチ１０を良好にオン動作させることができる。
【００３５】
また、押しボタン９、押し子１２およびシート部材１３は、いずれも透光性を有しており、基板５上の押圧スイッチ１０近傍に実装される発光素子１１の光で押しボタン９が内側から照光されるようになっている。そして、本実施形態の携帯電子機器１では、入力部７のパッキンとしてシート部材１３を用いるため、従来の複雑な形状のパッキンに比べて透光性を向上させることができる。かかる構成を採用することで、本実施形態では、押しボタン９の内部への照光輝度を高めることができる。
【００３６】
押しボタン９を内部から照光させる場合は、発光素子１１の光が周囲に漏れて悪影響を及ぼすことがないように遮光部材１５を設けることが好ましい。本実施形態では、シート部材１３から基板５に向けて延在される遮光部材１５を備える。この遮光部材１５は、基板５上の押圧スイッチ１０と発光素子１１とが配される実装領域を囲うように形成され、発光素子１１の光が前記実装領域外に漏れないようにしつつ、当該光をシート部材１３、押し子１２および押しボタン９を介して外部に放射させる。
【００３７】
つぎに、入力部７に複数の押しボタン９を設ける場合に有用な構成について、図３および図４を参照して説明する。
【００３８】
図４は、本実施形態に係る携帯電子機器のシート部材および遮光部材を示す図であり、第１筐体の下側部分を背面側から見た斜視図である。
【００３９】
この図に示すように、携帯電子機器１において、押圧スイッチ１０、押しボタン９および押し子１２をそれぞれ複数設ける場合、発光素子１１および遮光部材１５は、複数の押圧スイッチ１０それぞれに対応して複数設けられ、遮光部材１５は、発光素子１１の光が、当該発光素子１１に対応する押圧スイッチ１０とは異なる押圧スイッチ１０が配される領域に漏れないように構成される。これにより、個々の押しボタン９を他の押しボタンと区別して光を放射させることが可能になる。
【００４０】
また、入力部７に複数の押しボタン９を設ける場合は、複数の押しボタン９を連結するための連結シート１６を有することが好ましい。例えば、本実施形態の携帯電子機器１は、押しボタン９と押し子１２との間に接着され、複数の押しボタン９および押し子１２を連結する樹脂製の連結シート１６を備える。このような連結シート１６によれば、携帯電子機器１の組立工程において、押しボタン９や押し子１２の組付けが容易になるだけでなく、連結シート１６で押しボタン９や押し子１２の位置を保持し、押しボタン９や押し子１２のがたつきを抑えることができる。
【００４１】
押しボタン９の数に応じて複数の遮光部材１５を構成する場合、遮光部材１５は、遮光性を有するスポンジ１５ａによって構成することが好ましい。このようにすると、図４に示すように、一枚のスポンジ１５ａで複数の遮光部材１５を形成し、部品コストの低減や組み立て性の向上が図れる。しかも、本実施形態では、スポンジ１５ａを圧縮状態で基板５とシート部材１３との間に配置し、スポンジ１５ａの反発力で固定部材１４を押圧しているので、固定部材１４の剥離や、それに伴う防水性の低下も低減することができる。
【００４２】
スポンジ１５ａは、シート部材１３に接着される一方で、基板５には接着されないことが好ましい。例えば、本実施形態のスポンジ１５ａは、両面テープ１５ｂを介してシート部材１３に接着され、組み立て時に基板５に対して圧接される。このようにすると、携帯電子機器１の組み立て性を維持しつつ、遮光部材１５を設けることができる。
【００４３】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４４】
１・・・携帯電子機器、２・・・筐体、３・・・第１筐体、４・・・第２筐体、５・・・基板、７・・・入力部、８・・・前面パネル、９・・・押しボタン、１０・・・押圧スイッチ、１１・・・発光素子、１２・・・押し子、１３・・・シート部材、１３ａ・・・突部、１４・・・固定部材、１５・・・遮光部材、１５ａ・・・スポンジ、１５ｂ・・・両面テープ、１６・・・連結シート
【図１】
2014135244.tif 000003
【図２】
2014135244.tif 000004
【図３】
2014135244.tif 000005
【図４】
2014135244.tif 000006
【図５】
2014135244.tif 000007
【図６】
2014135244.tif 000008